(57)【要約】パターヘッド（１）が，パターフェイス（４）と，前記パターヘッド（１）の上面（４４）に位置し，前記パターフェイスに位置する直線指標（９）とを有するパターヘッド（１）である。パッティングの際のプレイヤーの視覚判断に固有な不正確性を補正するために，直線指標（９）に関連するパターフェイス（４）の相対角度が調整できる。好適な実施形態において，上面（４４）は，回転盤（３）の形態であり，該回転盤（３）は，直線指標（９）とパターフェイス（４）との間の相対角度を選択的に調整するために，軸の周囲を移動可能である。
2006517434.tif 000002
【特許請求の範囲】
【請求項１】
パターヘッドであって，
パターフェイスと，
前記パターヘッドの上面に位置し，前記パターフェイスに対して角度をつけて方向付けされた直線指標とを備え，
前記角度が調整可能であるパターヘッド。
【請求項２】
前記パターヘッドの前記上面が回転盤から形成される請求項１記載のパターヘッド。
【請求項３】
前記パターヘッドの前記上面が回転盤から形成され，前記回転盤が中心軸と案内突起とを備え，前記回転盤が前記案内突起にかけられる力の影響下で前記中心軸の長手方向軸の周囲を移動可能である請求項１記載のパターヘッド。
【請求項４】
前記パターヘッドが更に，前記パターヘッドの凹部に設けた少なくとも一つの調整ねじを備え，前記少なくとも一つの調整ねじが，操作的に前記案内突起と接触し，前記案内突起に前記力を提供するために，ユーザによる操作が可能な請求項３記載のパターヘッド。
【請求項５】
交換可能な盤が，各々が上面に位置する直線指標を有する一連の更なる交換可能な盤のうちの１つに置換されるように，前記パターヘッドの前記上面が前記交換可能な盤から形成され，前記直線指標が前記交換可能な盤上に位置しており，前記交換可能な盤が前記パターヘッドから取り外し可能である請求項１記載のパターヘッド。
【請求項６】
前記交換可能な盤の下面に分岐軸が配置され，前記分岐軸により，前記交換可能な盤が前記パターヘッドに取り外し自在に取付けられる請求項５記載のパターヘッド。
【請求項７】
前記パターフェイスが，ヒンジにより前記パターヘッドに取付けられる請求項１記載のパターヘッド。
【請求項８】
前記パターフェイスが前記直線指標に関して移動できるように，前記パターフェイスが，ヒンジにより前記パターヘッドに取付けられ，前記パターフェイスが少なくとも一つの調整ねじを備える請求項１記載のパターヘッド。
【請求項９】
ゴルフストロークのエラー修正方法であって，
パッティングストロークのエラーを識別するステップと，
直線指標とパターフェイスとの間で形成された角度を調整するステップとを含み，前記直線指標がパターヘッドのストローク軌跡と平行して位置決めされるゴルフストロークのエラー修正方法。
【請求項１０】
前記直線指標が回転盤上に位置し，前記回転盤が前記パターヘッドの上面を形成しており，前記調整ステップが，前記回転盤を回転することにより行われる請求項９記載のゴルフストロークのエラー修正方法。
【請求項１１】
前記直線指標が交換可能な盤上に位置し，前記交換可能な盤が前記パターヘッドの上面を形成し，
前記パターヘッドから前記交換可能な盤を除去するステップと，
更なる交換可能な盤を前記パターヘッドに取付けるステップとを更に含み，前記更なる交換可能な盤が，前記直線指標と異なる向きの更なる直線指標を有する請求項９記載のゴルフストロークのエラー修正方法。
【請求項１２】
前記パターフェイスがヒンジの周囲を移動するように，前記パターフェイスが，前記ヒンジにより前記パターヘッドに取付けられ，前記パターフェイスが調整ねじを備え，前記調整ステップが前記調整ねじを調整することにより行われる請求項９記載のゴルフストロークのエラー修正方法。
【請求項１３】
ゴルフパターであって，
軸と，
前記軸の下方に取付けられ，パターフェイスを備えたパターヘッドと，
前記パターヘッドの上面に位置した回転盤と，
前記回転盤上に位置し，前記パターフェイスに角度をつけて方向付けされた直線指標とを備え，
前記角度が調整できるように，前記回転盤が回転可能であるゴルフパター。
【発明の詳細な説明】
【技術分野】
【０００１】
本発明はパターヘッドに関する。本発明は，特に，しかし，これに限らず，より正確なパッティングストロークを提供するパターヘッドに関する。
【背景技術】
【０００２】
ゴルフゲームは，参加者の点から見て，世の中で最も人気のある娯楽スポーツの１つである。ゴルフの人気は，ゲームが簡単であることを意味しない。ゴルフは，ゲームでの勝利を達成するために，運動の徹底的な正確さを要求する。ストローク中のとらえ難い不完全さが，ショットの結果におけるミスの拡大を生じさせる。特に，多くのゴルファーは，パッティングストロークが最もマスターするのが難しく，ゴルフのラウンド中に，最も多いストロークを落とす所であると認識している。
【０００３】
より長い距離のパットのために，右利きのプレイヤーは，標的の右側を狙うことがわかった。同様に，左利きのプレイヤーは，標的の左側を狙う。これは，人間の視力は，頭部が水平の時に，距離及び軌跡を判断するために展開するという事実による。しかし，ゴルファーがパットの準備をするときには頭部は傾けて保持され，目は水平でない。判断におけるこの生理的不正確性は，誤った位置決めにより，多くのパットが外れる結果を導く。
【０００４】
発明の目的
本発明の目的は，上記の問題の一以上を解決，或いは少なくとも軽減する，及び／又は消費者に有用或いは商用の選択を提供することである。
【発明の開示】
【０００５】
唯一又は最広義の形態である必要はないが，１つの形態において，本発明はパターヘッドに関するものであって，該パターヘッドは，
パターフェイスと，
前記パターヘッドの上面に位置し，前記パターフェイスに対して角度をつけて方向付けされた直線指標とを備え，前記角度が調整可能である。
【０００６】
好適には，前記パターヘッドの前記上面が回転盤から形成される。
【０００７】
選択的に，交換可能な盤が，各々が上面に位置する直線指標を有する一連の更なる交換可能な盤のうちの１つに置換されるよう，前記パターヘッドの前記上面が前記交換可能な盤から形成され，前記直線指標が前記交換可能な盤上に位置しており，前記交換可能な盤が前記パターヘッドから取り外し可能である。
【０００８】
また，前記パターフェイスが少なくとも1本の調整ねじにより前記直線指標に関して移動可能であるように，前記パターフェイスがヒンジにより前記パターヘッドに取付けられる。
【０００９】
更に，本発明は，ゴルフストロークのエラー修正方法にも関し，該方法は，
パッティングストロークのエラーを識別するステップと，
直線指標とパターフェイスとの間で形成された角度を調整するステップとを含み，前記直線指標がパターヘッドのストローク軌跡と平行して位置決めされる。
【００１０】
更に，本発明はゴルフパターにも関し，該ゴルフパターは，
軸と，
前記軸の下方に取付けられ，パターフェイスを備えたパターヘッドと，
前記パターヘッドの上面に位置した回転盤と，
前記回転盤上に位置し，前記パターフェイスに角度をつけて方向付けされた直線指標とを備え，前記角度が調整できるように，前記回転盤が回転可能である。
【００１１】
本発明の更なる特徴は，下記の詳細な説明により明らかになるであろう。
【００１２】
本発明への理解を促進するために，且つ，当業者が実際に発明を実施することを可能にするために，本発明の好適な実施形態が例示の目的のみで添付図面を参照して以下に説明される。
【００１３】
発明の詳細な説明
図１は本発明の第１実施形態によるパターヘッド１を示す。パターヘッド１は，本体２，回転盤３の形状の上面４４，パターフェイス４及び２つのねじ孔５Ａ及び５Ｂを備える。ねじ孔５Ａ及び５Ｂがパターフェイス４に近接した本体２内に位置する。直線指標９が回転盤３上に設けられる。
【００１４】
図２は，パターヘッド１の分解正面図を示しており，図３はパターヘッド１の分解背面図を示す。本体２は中空であり，金属，黒鉛，木材等から形成される。本体２は，内方に伸長し，中央ハブ７に達する複数のスポーク６を有する。開口８はハブ７の中心部に位置する。さらに，本体２はパターフェイス４の近くに位置した案内溝１２を更に備える。
【００１５】
案内突起１０及び中心軸１１（図２又は図３に図示せず）が回転盤３から下方に伸長する。回転盤３の中心軸１１が中央開口８内に配置される。回転盤３は，ばね座金１３をハブ７の下の中心軸１１に配置することにより，本体２に確実に取付けられる。ばね座金１３は，中心軸１１に確実に保持されるように，弾性付勢されている。したがって，ばね座金１３はハブ７の下側に当接し，ハブ７上の回転盤３を確実に保持する。さらに，座金１４は，ハブ７と回転盤３との間の中心軸１１に配置される。軸１１が中央開口８内に確実に配置されると，回転盤３が中心軸１１の長手方向軸の周囲を回転できる。
【００１６】
パターヘッド１は，押杆１５Ａ，１５Ｂ及びねじ１６Ａ及び１６Ｂを更に備え，その機能は以下に詳細に説明する。
【００１７】
図４はパターヘッド１の頂部断面図を示す。図示のように，回転盤３の中心軸１１は，中央開口８内に配置される。さらに，案内突起１０は案内溝１２内に配置される。調整ねじ１６Ａ及び１６Ｂは，ねじ孔５Ａ及び５Ｂ内にそれぞれ配置される。
【００１８】
凹部１７Ａ及び１７Ｂは本体２内でそれぞれねじ孔５Ａ及び５Ｂから凹部案内溝１２に伸長する。押杆１５Ａ及び１５Ｂが凹部１７Ａ及び１７Ｂ内にそれぞれ配置される。押杆１５Ａ及び１５Ｂの一端が各調整ねじ１６Ａ及び１６Ｂに当接し，各押杆１５Ａ及び１５Ｂの対向端部が回転盤３の案内突起１０に当接する。
【００１９】
使用にあたって，前述のように，プレイヤーのパッティングストロークに固有な位置決めのエラーを修正するために，回転盤３は中心軸１１の長手方向軸の周囲を選択的に回転する。ゴルフプレイヤーは，図１に示すように，第１位置に方向付けされた回転盤でパットをする。この位置に，実質的にパターフェイス４に対して垂直となるように，直線指標９は位置決めされる。このように，プレイヤーがパッティングストロークを実行すると，直線指標９はプレイヤーのパッティングストロークの軌跡に沿って位置決めされ，パターフェイス４は，ストロークの軌跡に対して実質的に垂直に位置決めされる。したがって，パターフェイス４と直線指標９との間の角度は実質的に垂直である。
【００２０】
前述のように，プレイヤーの頭部が傾いている時は，パットの不正確な準備となるため，パターヘッド１が図１に示す第１位置にある時，右利きのプレイヤーは必然的に意図する標的の右側にパットする。しかし，本発明のパターヘッド１は，回転盤３を選択的に回転することにより，プレイヤーがこの不正確性を補正することを可能にする。回転盤３を時計回り方向に回転することにより，図５に示すように，直線指標９とパターフェイス４との間が垂直以外の角度に調整される。
【００２１】
直線指標９とパターフェイス４との間で角度を調整するために，回転盤３は，調整ねじ１６Ａ及び１６Ｂを締める，及び緩めることにより中心軸１１の周囲を枢動する。図５に示す位置へ回転盤３を移動するために，調整ねじ１６Ａは，押杆１５Ａに当接しないように緩められる。調整ねじ１６Ｂは，押杆１５Ｂを案内突起１０へ動かし，ねじ孔５Ａの方向の案内溝１２に沿って，案内突起１０を操作的に動かすよう，確実に締められる。案内突起１０は，再び押杆１５Ａが調整ねじ１６Ａに当接するまで，ねじ孔５Ａの方向に押杆１５Ａに作用する。この時点で動きが止まり，案内杆１５Ａ，１５Ｂは，各調整ねじ１６Ａ及び１６Ｂ及び案内突起１０に再び当接する。
【００２２】
案内突起１０のこの動きにより，直線指標９がパターフェイス４に対して垂直にならないよう，中心軸１１の周囲を回転盤が時計回りで回転する。したがって，パターフェイス４と直線指標９との間の角度が調整される。
【００２３】
パターヘッド１が図５に示す位置にある際，プレイヤーがストロークを行い，パッティングストロークのラインに平行，且つ，該ラインに沿って，直線指標９を位置決めする。しかし，パターフェイス５は，直線指標９に対して垂直ではなく，したがって，パターフェイス５は意図されたストロークのラインに対して垂直ではない。これは直線指標９に関するパターフェイス５の角度を変化させ，したがって，パッティングストロークの軌跡は，パットの準備における不正確性に適合し，ストロークがより正確となる。
【００２４】
回転盤３が，異なる角度及び時計回り及び反時計回り方向の両方に移動可能であることは言うまでもない。これにより，プレイヤーが，必要な補正量を微調整することが可能となる，つまり，個々のプレイヤーがストロークの準備において有する固有の不正確性の量に基づいて，回転盤３を対象とした回転量が，プレイヤーにより決定される。したがって，直線指標９とパターフェイス４との間の相対角度は調整できる。
【００２５】
図６，図７及び図８は本発明の第２実施形態によるパターヘッド１８を示す。パターヘッド１８は，本体１９，上面４５及びパターフェイス２０を備える。パターヘッド１と同様に，本体１９は中空で，且つ，内方に伸長し，中央ハブ２２に達する複数のスポーク２１を有する。中央開口２３はハブ２２に設けられる。さらに，パターヘッド１８はパターフェイス２０の近くに設けた位置決め開口２４を有する。
【００２６】
パターヘッド１８は，一組の交換可能な盤２５Ａ〜２５Ｅを伴う。
直線指標２６は，交換可能な盤２５Ａ〜２５Ｅのそれぞれの上面に位置する。さらに，位置決め突起２８はそれぞれの交換可能な盤２５Ａ〜２５Ｅから下方へ伸長する。分岐軸２７は各交換可能な盤２５Ａ〜２５Ｅの中心から下方へ伸長する。分岐軸２７は，互いに離れて付勢される２つの弾性傾斜アーム２７Ａ及び２７Ｂを有する。
【００２７】
パターフェイス２０に関する直線指標２６の角度が調整できるという点で，パターヘッド１８の操作はパターヘッド１の操作と同様である。しかし，パターヘッド２６には一連の交換可能な盤２５Ａ〜２５Ｅが付随し，直線指標の向きが各盤で異なる。
【００２８】
例えば，第１位置において，交換可能な盤２５Ａは，該交換可能な盤２５Ａがパターヘッド１８の上面４５を形成するように，位置決め突起２８を位置決め開口２４内に配置することにより，パターヘッド１８の本体１９に取付けられる。さらに，分岐軸２７は嵌着により中央開口２３内に配置される。したがって，分岐軸２７は，交換可能な盤２５Ａを取り外し自在にパターヘッド１８に取付ける。交換可能な盤２５Ａがパターヘッド１８に取付けられると，直線指標２６がパターフェイス２０に対して垂直となるように位置決めされる。
【００２９】
プレイヤーがパターフェイス２０の角度の調整を必要とする際，ゴルフボールを打つと，パッティングストロークの準備における固有の精度に適合するために，交換可能な盤２５Ａは，一連の更なる交換可能な盤２５Ｂ〜２５Ｅのうちの１つに置換される。交換可能な盤は２５Ａは，本体１９から離れて交換可能な盤２５Ａをてこで動かすことにより，パターヘッド１８から除去される。分岐軸２７が２つの弾性傾斜アーム２７Ａ，２７Ｂを有するので，盤は容易に着脱可能である。
【００３０】
図６に示すように，更なる交換可能な盤２５Ｂ〜２５Ｅの各々は，位置決め突起２８に対して角度を変えて方向付けされる直線指標２６を有する。したがって，更なる交換可能な盤２５Ｂ〜２５Ｅの各々が本体１９に取付けられると，パターフェイス２０に対する直線指標２６の角度は垂直ではない。このように，更なる交換可能な盤２５Ｂ〜２５Ｅのいずれかが本体１９に取付けられると，直線指標が平行であり，パターヘッド１８のスイング軌跡に位置決めされる際に，パターフェイス２０はスイングのラインに対して垂直以外の角度でゴルフボールを打つ。したがって，パターフェイス２０と直線指標２６との間の角度が調整されるように，直線指標２６は，交換可能な盤２５Ａ〜２５Ｅを変えることにより移動可能である。
【００３１】
パットの軌跡とプレイヤーが主にパットを外す方向を判断すると，プレイヤーが有する固有の不正確性のレベルに適応するよう，直線指標２６の向きを変える複数の更なる交換可能な盤が望まれる。
【００３２】
図９は，本発明の第３の実施形態によるパターヘッド２９の斜視図を示す。パターヘッド２９は，本体３０と，パターヘッド２９に取付けられた枢着されたパターフェイス３１と，パターヘッド２９の上面４６に位置する直線標識３２とを備える。枢着されたパターフェイス３１は，前板３１Ａ（図９に図示せず）と後板３１Ｂとを含む。前板３１Ａは，接着剤，嵌着，リベット等により後板３１Ｂに固定される。
【００３３】
図１０及び図１１は，パターヘッド２９の分解斜視図を示す。パターヘッド２９は，枢着された面３１上の開口３４に配置されるロッド３３を更に備える。ロッド３３は，パターヘッド２９の本体３０に設けた上部開口３５と下部開口３６とに延設される。さらに，枢着される面３１がパターヘッド２９に取付けられ，ロッド３３の周囲を回動可能に，突起３７は枢着される面３１に配置され，本体３０に設けた凹部３８内に挿入可能である。
【００３４】
２つのねじ開口３９Ａ及び３９Ｂが凹部３８の反対側の端部で本体３０に設けられる。２つの孔４０Ａ及び４０Ｂが，本体３０に配置したねじ開口３９Ａ，３９Ｂと対応するように，枢着されるパターフェイス３１に間隔をあけて設けられる。パターヘッド２９は，孔４０Ａ及び４０Ｂ及びねじ開口３９Ａ及び３９Ｂを介して取付け可能な２本のねじ４１Ａ及び４１Ｂを更に備える。パターヘッド２９も，枢着されたパターフェイス３１に設けられたねじ開口４２内に挿入される調整ねじ４３を有する。
【００３５】
パターヘッド２９は，パッティングの際のプレイヤーの狙いの不正確性を補正するために直線指標３２と面３１との間の角度が調整できるという点で，前述の実施形態と同様の操作をする。しかし，前の２つの実施形態と対照的に，直線指標は可動であり，パターフェイスは固定されたままで，パターヘッド２９は，直線指標３２の向きを固定したままパターフェイスの向きを変えるよう，可動の枢着されたパターフェイス３１を有する。
【００３６】
図１２は，枢着されたパターフェイス３１が，直線指標３２に対して垂直に位置決めされるパターヘッド２９を示す。図１３は，枢着されたパターフェイス３１と直線指標３２との間の角度を垂直とならないように調整するべく，枢着されたパターフェイス３１がロッド３３の周囲を枢動するパターヘッド２９を示す。
【００３７】
枢着されたパターフェイス３１は，該枢着されたパターフェイス３１が本体３０から離れたロッド３３の周囲を回転可能であるように，ねじ４１Ａ及び４１Ｂの両方を緩めることによりロッド３３で枢動する。ロッド３３に枢着されたパターフェイス３１が動くように，調整ねじ４３が緩められる。ねじ開口４２が螺刻されていると，調整ねじ４３は，枢着されたパターフェイス３１が本体３０の方へ回転することを防ぐ。さらに，ねじ開口３９Ａ及び３９Ｂのねじ山により，ねじ４１Ａ及び４１Ｂは，枢着されたパターフェイス３１が本体３０から離れて移動することを防止できる。
【００３８】
本発明のパターヘッドは，ゴルファーにとって明確で重要な利点を提供する。特に，パターヘッドは，パットのスイング軌跡を示す直線指標に対するパターフェイスの角度を変更する調整機構を提供することにより，ゴルファーがパットの準備をする際の固有の不正確性を補正することを可能にする。したがって，本発明のパターヘッドは，プレイヤーのパットが標的に達する割合が高くなる結果をもたらす。
【００３９】
本発明のパターヘッドは，右利きのプレイヤー用のパターに関して記載されている。当然のことながら，左利きのプレイヤーに使用されるパターヘッドも，本発明の範囲内に含まれる。
【００４０】
明細書の全体を通じて，実施形態のいずれか，或いは特徴的な部分に限定することなく，この発明を説明することが目標である。当業者は，本発明の範囲内であれば特定の実施形態を変更可能であることを理解するであろう。
【００４１】
実施形態において，本発明の精神及び範囲から逸脱することなく，様々な他の変化及び変更が可能であることは言うまでもない。
【図面の簡単な説明】
【００４２】
【図１】本発明の実施形態による第一位置におけるパターヘッドの正面斜視図。
【図２】図１に示すパターヘッドの分解正面斜視図。
【図３】図１に示すパターヘッドの分解背面斜視図。
【図４】図１に示すパターの頂部断面図。
【図５】第２位置における図１に示すパターヘッドの頂部斜視図を示す。
【図６】本発明の第２実施形態によるパターヘッドの分解斜視図を示す。
【図７】図６に示すパターヘッドの更なる分解斜視図を示す。
【図８】図６に示すパターヘッドの頂部断面図を示す。
【図９】本発明の第３態様によるパターヘッドの斜視図を示す。
【図１０】図９に示すパターヘッドの分解斜視図を示す。
【図１１】図９に示すパターヘッドの更なる分解斜視図を示す。
【図１２】図９に示すパターヘッドの第１位置における平面図を示す。
【図１３】図９に示すパターヘッドの第２位置における平面図を示す。
【図１】
2006517434.tif 000003
【図２】
2006517434.tif 000004
【図３】
2006517434.tif 000005
【図４】
2006517434.tif 000006
【図５】
2006517434.tif 000007
【図６】
2006517434.tif 000008
【図７】
2006517434.tif 000009
【図８】
2006517434.tif 000010
【図９】
2006517434.tif 000011
【図１０】
2006517434.tif 000012
【図１１】
2006517434.tif 000013
【図１２】
2006517434.tif 000014
【図１３】
2006517434.tif 000015
【手続補正書】
【提出日】平成16年12月6日(2004.12.6)
【手続補正１】
【補正対象書類名】特許請求の範囲
【補正対象項目名】全文
【補正方法】変更
【補正の内容】
【特許請求の範囲】
【請求項１】
パターヘッドであって，
パターフェイスと，
前記パターヘッドの上面を形成する回転盤上に位置し，前記パターフェイスに対して角度をつけて方向付けされた直線指標とを備え，
前記角度が調整可能であるパターヘッド。
【請求項２】
前記パターヘッドの前記上面が回転盤から形成され，前記回転盤が中心軸と案内突起とを備え，前記回転盤が前記案内突起にかけられる力の影響下で前記中心軸の長手方向軸の周囲を移動可能である請求項１記載のパターヘッド。
【請求項３】
前記パターヘッドが更に，前記パターヘッドの凹部に設けた少なくとも一つの調整ねじを備え，前記少なくとも一つの調整ねじが，操作的に前記案内突起と接触し，前記案内突起に前記力を提供するために，ユーザによる操作が可能な請求項２記載のパターヘッド。
【請求項４】
ゴルフストロークのエラー修正方法であって，
パッティングストロークのエラーを識別するステップと，
パターヘッドの面と回転盤上に位置した直線指標との間の角度が調整可能であるように，パターヘッドの上面部分を形成する前記回転盤を回転するステップとを含み，前記直線指標がパターヘッドのストローク軌跡と平行となるようパッティングストロークを実行するゴルフストロークのエラー修正方法。
【請求項５】
ゴルフパターであって，
軸と，
前記軸の下方に取付けられ，パターフェイスを備えたパターヘッドと，
前記パターヘッドの上面に位置した回転盤と，
前記回転盤上に位置し，前記パターフェイスに角度をつけて方向付けされた直線指標とを備え，
前記角度が調整できるように，前記回転盤が回転可能であるゴルフパター。
【国際調査報告】
2006517434.tif 000016
2006517434.tif 000017
2006517434.tif 000018